(57)【要約】  小さなばね力でも機能する自動停止機構を備えたスライドファスナー用スライダーを提供することを第一の課題とする。また、本発明はばね部材が外部から見えにくく、デザインの自由度の高い自動停止機構を備えたスライドファスナー用スライダーを提供することを第二の課題とする。第一の課題に対しては、カバー（１２０）が回転する際の支点とカバー（１２０）の前後方向の移動を制限する部位との間の距離を短くすることで摩擦力を低減する。第二の課題に対しては、カバー（１２０）とスライダー胴体（１３０）の間にベース部（１４１）と弾性部（１４３）を有するばね部材（１４０）を挟み込む。
2014073099.tif 000002
【特許請求の範囲】
【請求項１】
スライダー胴体１３０と、カバー１２０と、ばね部材１４０と、引手１１０とを備えたスライドファスナー用スライダー１００であって、  スライダー胴体１３０は、連結柱１４４により連結された上翼板１３２及び下翼板１３４と、上翼板１３２及び下翼板１３４の間に配設されたＹ字状のエレメント案内路１３７とを有し、  上翼板１３２は、前方に立設された前方カバー取付柱１３６と、後方に立設された後方カバー取付柱１３８と、前方カバー取付柱１３６及び後方カバー取付柱１３８の間に穿設された爪孔１３５と、爪孔１３５及び前方カバー取付柱１３６の間に突設された規制部１３９とを有し、  カバー１２０は、上壁１２５と、上壁１２５の側縁から延設された左右側壁１２２と、左右側壁１２２の少なくとも一方から下方に延設され爪孔１３５への挿抜が可能な停止爪１２８と、左右側壁１２２から前方に延設され前方カバー取付柱１３６に係合する一対の軸支部１２４と、左右側壁１２２から後方に延設され後方カバー取付柱１３８に遊嵌される一対の係合片１２１と、左右側壁１２２を貫通し引手１１０の回転軸１１２が挿通される開口部１２７と、規制部１３９の前方部分に当接可能な停止壁１２６を有し、  ばね部材１４０は停止爪１２８が爪孔１３５に向かって付勢されるように配設され、  カバー１２０の後方への移動は、停止壁１２６が規制部１３９に当接することにより停止する、  スライドファスナー用スライダー。
【請求項２】
ばね部材１４０は、軸支部１２４の下面と上翼板１３２の間に配され、前方カバー取付柱１３６の後方と規制部１３９の間に設置されるベース部１４１と、前記ベース部１４１から前方カバー取付柱１３６の左右側壁に沿って延びた一対の弾性部１４３を有し、停止爪１２８が爪孔１３５に向かって付勢されるように敷設された板ばねである請求項１に記載のスライドファスナー用スライダー。
【請求項３】
カバー１２０は前方カバー取付柱１３６の後方部分に当接可能な突起１２３を左右側壁１２２の少なくとも一方の内側に有し、カバー１２０の前方への移動は突起１２３が前方カバー取付柱１３６に当接することにより停止する請求項１又は２に記載のスライドファスナー用スライダー。
【請求項４】
停止壁１２６が開口部１２７に設けられる請求項１〜３の何れか一項に記載のスライドファスナー用スライダー。
【請求項５】
各軸支部１２４の上面はその前端に向かって下方に傾斜する斜面１４８を有する請求項１〜４の何れか一項に記載のスライドファスナー用スライダー。
【請求項６】
上翼板１３２は溝部１３１を有し、当該溝部１３１にばね部材１４０が敷設される請求項１〜５の何れか一項に記載のスライドファスナー用スライダー。
【請求項７】
規制部１３９は、溝部１３１の後端壁を上方に延長することによって形成される請求項６に記載のスライドファスナー用スライダー。
【請求項８】
ばね部材１４０はベース部１４１に挿入穴１４２を有しており、溝部１３１に立設された固定柱１３３を挿入穴１４２に挿入した後、固定柱１３３を打ち潰すことにより上翼板１３２に固定されている請求項６又は７に記載のスライドファスナー用スライダー。
【請求項９】
溝部１３１は、その前端に向かって下方に傾斜する斜面１４６を有する請求項６〜８の何れか一項に記載のスライドファスナー用スライダー。
【請求項１０】
ばね部材１４０がコの字状の板ばねである請求項２〜９の何れか一項に記載のスライドファスナー用スライダー。
【請求項１１】
スライダー胴体１３０と、カバー１２０と、ばね部材１４０と、引手１１０とを備えたスライドファスナー用スライダー１００であって、  スライダー胴体１３０は、連結柱１４４により連結された上翼板１３２及び下翼板１３４と、上翼板１３２及び下翼板１３４の間に配設されたＹ字状のエレメント案内路１３７とを有し、  上翼板１３２は、前方に立設された前方カバー取付柱１３６と、後方に立設された後方カバー取付柱１３８と、前方カバー取付柱１３６及び後方カバー取付柱１３８の間に穿設された爪孔１３５とを有し、  カバー１２０は、上壁１２５と上壁１２５の側縁から延設された左右側壁１２２と、左右側壁１２２の少なくとも一方から下方に延設され爪孔１３５への挿抜が可能な停止爪１２８と、左右側壁１２２から前方に延設され前方カバー取付柱１３６に係合する一対の軸支部１２４と、左右側壁１２２から後方に延設され後方カバー取付柱１３８に遊嵌される一対の係合片１２１と、左右側壁１２２を貫通し引手１１０の回転軸１１２が挿通される開口部１２７とを有し、  ばね部材１４０は、軸支部１２４の下面と上翼板１３２の間に配され、前方カバー取付柱１３６の後方と規制部１３９の間に設置されるベース部１４１と、前記ベース部１４１から前方カバー取付柱１３６の左右側壁に沿って延びた一対の弾性部１４３を有し、停止爪１２８が爪孔１３５に向かって付勢されるように敷設された板ばねであるスライドファスナー用スライダー。
【請求項１２】
上翼板１３２は、爪孔１３５及び前方カバー取付柱１３６の間に突設された規制部１３９を更に有し、  カバー１２０は、規制部１３９の前方部分に当接可能な停止壁１２６を更に有し、  カバー１２０の後方への移動は、停止壁１２６が規制部１３９に当接することにより停止する、請求項１１に記載のスライドファスナー用スライダー。
【請求項１３】
停止壁１２６が開口部１２７に設けられる請求項１２に記載のスライドファスナー用スライダー。
【請求項１４】
上翼板１３２は溝部１３１を有し、当該溝部１３１にばね部材１４０が敷設される請求項１１〜１３の何れか一項に記載のスライドファスナー用スライダー。
【請求項１５】
規制部１３９は、溝部１３１の後端壁を上方に延長することによって形成される請求項１４に記載のスライドファスナー用スライダー。
【請求項１６】
ばね部材１４０はベース部１４１に挿入穴１４２を有しており、溝部１３１に立設された固定柱１３３を挿入穴１４２に挿入した後、固定柱１３３を打ち潰すことにより上翼板１３２に固定されている請求項１４又は１５に記載のスライドファスナー用スライダー。
【請求項１７】
溝部１３１は、その前端に向かって下方に傾斜する斜面を有する請求項１４〜１６の何れか一項に記載のスライドファスナー用スライダー。
【請求項１８】
各軸支部１２４の上面はその前端に向かって下方に傾斜する斜面を有する請求項１１〜１７の何れか一項に記載のスライドファスナー用スライダー。
【請求項１９】
ばね部材１４０がコの字状の板ばねである請求項１１〜１８の何れか一項に記載のスライドファスナー用スライダー。
【請求項２０】
カバー１２０は前方カバー取付柱１３６の後方部分に当接可能な突起１２３を左右側壁１２２の少なくとも一方の内側に有し、カバー１２０の前方への移動は突起１２３が前方カバー取付柱１３６に当接することにより停止する請求項１１〜１９の何れか一項に記載のスライドファスナー用スライダー。
【請求項２１】
請求項１〜２０の何れか一項に記載のスライドファスナー用スライダーを備えたスライドファスナー。
【発明の詳細な説明】
【技術分野】
【０００１】  本発明は、停止爪による自動停止機構を備えたスライドファスナー用スライダーに関する。また、本発明はスライドファスナーに関する。
【背景技術】
【０００２】  従来から、スライドファスナーに用いられるスライダーとして、スライドファスナーを開閉した後に、引手の牽引操作を解除するとスライダー内部に装着された停止爪がばね力によってスライダーの停止位置を保持し、引手を操作しないかぎりスライダーの摺動停止状態を保持することが可能な自動停止機構付きのスライダーが知られている。【０００３】  このようなスライダーの例が特開２００７−０７５１９６号公報（特許文献１）に開示されている。図８に示すように、特許文献１に記載されている自動停止機構を備えたスライダーは、胴体１上に爪孔２２を穿設し、該爪孔２２の前後に取付柱１０，１１を立設し、カバー７は前方カバー取付柱１０に係合する前方被係合部３２と、後方カバー取付柱１１内を可動する後方被係合部３３を設け、上壁２６の前端に前方カバー取付柱１０に対向する弾性片３１を斜設し、側壁２５に引手８の枢軸３６が挿通できる開口部２７を設け、開口部２７の後方側に停止爪３０の基部２９を設置し、停止爪３０の先端が前方側に位置する形に基部２９を屈設して爪孔２２に対向する形に形成してなる。
【先行技術文献】
【特許文献】
【０００４】
【特許文献１】特開２００７−０７５１９６号公報
【発明の概要】
【発明が解決しようとする課題】
【０００５】  特許文献１に記載のスライダーにおける引手８によるスライダー操作は、引手８の摘み部３７を摘んで上方へ引張ると、枢軸３６が引手案内部１８に沿って滑動して、カバー７の後方被係合部３３を後方カバー取付柱１１のガイド部１９の可動上限まで持ち上げると同時に、爪孔２２から突出している停止爪３０を後退させ、ガイド溝６から退避させてスライダーを摺動させるというものである。その後、引手８を離すと、停止爪３０が弾性片３１のばね力によって自動的に下降するのであるが、このとき後方被係合部３３と後方カバー取付柱１１のガイド部１９が接触する場合がある。この場合、後方被係合部３３と後方カバー取付柱１１のガイド部１９の摩擦力よりも大きなばね力を弾性片３１が有していないと停止爪３０が下降しない。また、引手８を持ち上げる際においても、後方被係合部３３と後方カバー取付柱１１のガイド部１９の摩擦力が大きいと、ユーザーによる引手８の操作感を悪化させる。【０００６】  また、特許文献１に記載のスライダーにおいては、カバー７の上壁２６の前端に前方カバー取付柱１０に対向する弾性片３１を斜設していることから、弾性片３１が外部に露出した状態になる。この場合、スライダーの形状に制約が生じるため、デザインの自由度が低くなるという問題がある。【０００７】  本発明は上記事情に鑑みて創作されたものであり、小さなばね力でも機能する自動停止機構を備えたスライドファスナー用スライダーを提供することを第一の課題とする。また、本発明はばね部材が外部から見えにくく、デザインの自由度の高い自動停止機構を備えたスライドファスナー用スライダーを提供することを第二の課題とする。
【課題を解決するための手段】
【０００８】  本発明者は、特許文献１に記載のスライダーにおいては、停止爪を爪孔に対して挿抜する操作に合わせてカバーが回転する際の支点から、カバーの前後方向の移動を制限する部位（後方カバー取付柱１１のガイド部１９）までの距離が遠すぎるため、後方被係合部３３と後方カバー取付柱１１のガイド部１９との摩擦力が大きくなっていることに着目した。そこで、カバーが回転する際の支点とカバーの前後方向の移動を制限する部位との間の距離を短くすることで摩擦力を低減するというのが第一の課題に対して有効な解決手段である。【０００９】  また、本発明者は、カバーとスライダー胴体の間にばねを挟み込むことで外部からばねが見え難くできることを見いだした。そして、その際、前方カバー取付柱の根元の形状に沿って略コの字型の板ばねを設置することでばねの部品点数を少なくできると共に、前方カバー取付柱の周囲に安定して固定できるという利点が得られることを見いだした。当該構成は第二の課題に対して有効である。【００１０】  上記知見に基づいて創作された本発明は第一の側面において、スライダー胴体と、カバーと、ばね部材と、引手とを備えたスライドファスナー用スライダーであって、  スライダー胴体は、連結柱により連結された上翼板及び下翼板と、上翼板及び下翼板の間に配設されたＹ字状のエレメント案内路とを有し、  上翼板は、前方に立設された前方カバー取付柱と、後方に立設された後方カバー取付柱と、前方カバー取付柱及び後方カバー取付柱の間に穿設された爪孔と、爪孔及び前方カバー取付柱の間に突設された規制部とを有し、  カバーは、上壁と、上壁の側縁から延設された左右側壁と、左右側壁の少なくとも一方から下方に延設され爪孔への挿抜が可能な停止爪と、左右側壁から前方に延設され前方カバー取付柱に係合する一対の軸支部と、左右側壁から後方に延設され後方カバー取付柱に遊嵌される一対の係合片と、左右側壁を貫通し引手の回転軸が挿通される開口部と、規制部の前方部分に当接可能な停止壁を有し、  ばね部材は停止爪が爪孔に向かって付勢されるように配設され、  カバーの後方への移動は、停止壁が規制部に当接することにより停止する、  スライドファスナー用スライダーである。【００１１】  本発明の第一の側面に係るスライドファスナー用スライダーの一実施形態においては、ばね部材は、軸支部の下面と上翼板の間に配され、前方カバー取付柱の後方と規制部の間に設置されるベース部と、前記ベース部から前方カバー取付柱の左右側壁に沿って延びた一対の弾性部を有し、停止爪が爪孔に向かって付勢されるように敷設された板ばねである。【００１２】  本発明の第一の側面に係るスライドファスナー用スライダーの別の一実施形態においては、カバーは前方カバー取付柱の後方部分に当接可能な突起を左右側壁の少なくとも一方の内側に有し、カバーの前方への移動は突起が前方カバー取付柱に当接することにより停止する。【００１３】  本発明の第一の側面に係るスライドファスナー用スライダーの更に別の一実施形態においては、停止壁が開口部に設けられる。【００１４】  本発明の第一の側面に係るスライドファスナー用スライダーの更に別の一実施形態においては、各軸支部の上面はその前端に向か���て下方に傾斜する斜面を有する。【００１５】  本発明の第一の側面に係るスライドファスナー用スライダーの更に別の一実施形態においては、上翼板は溝部を有し、当該溝部にばね部材が敷設される。【００１６】  本発明の第一の側面に係るスライドファスナー用スライダーの更に別の一実施形態においては、規制部は、溝部の後端壁を上方に延長することによって形成される。【００１７】  本発明の第一の側面に係るスライドファスナー用スライダーの更に別の一実施形態においては、ばね部材はベース部に挿入穴を有しており、溝部に立設された固定柱を挿入穴に挿入した後、固定柱を打ち潰すことにより上翼板に固定されている。【００１８】  本発明の第一の側面に係るスライドファスナー用スライダーの更に別の一実施形態においては、溝部は、その前端に向かって下方に傾斜する斜面を有する。【００１９】  本発明の第一の側面に係るスライドファスナー用スライダーの更に別の一実施形態においては、ばね部材がコの字状の板ばねである。【００２０】  本発明は第二の側面において、スライダー胴体と、カバーと、ばね部材と、引手とを備えたスライドファスナー用スライダーであって、  スライダー胴体は、連結柱により連結された上翼板及び下翼板と、上翼板及び下翼板の間に配設されたＹ字状のエレメント案内路とを有し、  上翼板は、前方に立設された前方カバー取付柱と、後方に立設された後方カバー取付柱と、前方カバー取付柱及び後方カバー取付柱の間に穿設された爪孔とを有し、  カバーは、上壁と上壁の側縁から延設された左右側壁と、左右側壁の少なくとも一方から下方に延設され爪孔への挿抜が可能な停止爪と、左右側壁から前方に延設され前方カバー取付柱に係合する一対の軸支部と、左右側壁から後方に延設され後方カバー取付柱に遊嵌される一対の係合片と、左右側壁を貫通し引手の回転軸が挿通される開口部とを有し、  ばね部材は、軸支部の下面と上翼板の間に配され、前方カバー取付柱の後方と規制部の間に設置されるベース部と、前記ベース部から前方カバー取付柱の左右側壁に沿って延びた一対の弾性部を有し、停止爪が爪孔に向かって付勢されるように敷設された板ばねであるスライドファスナー用スライダーである。【００２１】  本発明の第二の側面に係るスライドファスナー用スライダーの一実施形態においては、上翼板は、爪孔及び前方カバー取付柱の間に突設された規制部を更に有し、  カバーは、規制部の前方部分に当接可能な停止壁を更に有し、  カバーの後方への移動は、停止壁が規制部に当接することにより停止する。【００２２】  本発明の第二の側面に係るスライドファスナー用スライダーの別の一実施形態においては、停止壁が開口部に設けられる。【００２３】  本発明の第二の側面に係るスライドファスナー用スライダーの更に別の一実施形態においては、上翼板は溝部を有し、当該溝部にばね部材が敷設される。【００２４】  本発明の第二の側面に係るスライドファスナー用スライダーの更に別の一実施形態においては、規制部は、溝部の後端壁を上方に延長することによって形成される。【００２５】  本発明の第二の側面に係るスライドファスナー用スライダーの更に別の一実施形態においては、ばね部材はベース部に挿入穴を有しており、溝部に立設された固定柱を挿入穴に挿入した後、固定柱を打ち潰すことにより上翼板に固定されている。【００２６】  本発明の第二の側面に係るスライドファスナー用スライダーの更に別の一実施形態においては、溝部は、その前端に向かって下方に傾斜する斜面を有する。【００２７】  本発明の第二の側面に係るスライドファスナー用スライダーの更に別の一実施形態においては、各軸支部の上面はその前端に向かって下方に傾斜する斜面を有する。【００２８】  本発明の第二の側面に係るスライドファスナー用スライダーの更に別の一実施形態においては、ばね部材がコの字状の板ばねである。【００２９】  本発明の第二の側面に係るスライドファスナー用スライダーの更に別の一実施形態においては、カバーは前方カバー取付柱の後方部分に当接可能な突起を左右側壁の少なくとも一方の内側に有し、カバーの前方への移動は突起が前方カバー取付柱に当接することにより停止する。【００３０】  本発明は第三の側面において、上記何れかに記載のスライドファスナー用スライダーを備えたスライドファスナーである。
【発明の効果】
【００３１】  本発明の第一の側面に係るスライドファスナー用スライダーによれば、引手の牽引操作を解除すると停止爪が爪穴にスムーズに自動挿入される。従って、ユーザーにはスライダーの自動停止機能に対する高い信頼性を与えることができる。また、引手の牽引操作も円滑に行うことができるので、ユーザーは高い引手操作性を享受することが可能である。  本発明の第二の側面に係るスライドファスナー用スライダーは、ばね部材が外部から見えにくく、デザインの自由度が高いので、様々なデザインをもつスライダーに対して、自動停止機構を付与することが可能となる。
【図面の簡単な説明】
【００３２】
【図１】本発明の実施例１に係るスライダーを備えたスライドファスナーの一例を示す。
【図２】本発明の実施例１に係るスライダーにおいて、構成部品が分離した状態を示す斜視図である。
【図３】本発明の実施例１に係るスライダーが組み立てられた状態を示す斜視図である（但し、引手は図示せず）。
【図４】（ａ）は（ｂ）におけるＡ−Ａ’線部分断面図（スライダー胴体のみ断面図、下翼板は図示せず。）、（ｂ）は本発明の実施例１に係るスライダーの正面図、（ｃ）は（ａ）におけるＢ−Ｂ’線部分断面図（下翼板は図示せず。）をそれぞれ示す。
【図５】図４（ａ）のＡ−Ａ’線部分断面図に対して、引手を持ち上げることにより停止爪が後退した状態を示す。
【図６】本発明の実施例２に係るスライダーにおいて、構成部品が分離した状態を示す斜視図である。
【図７】特開２００７−０７５１９６号公報（特許文献１）に開示されているスライダーの分解斜視図である。
【発明を実施するための形態】
【００３３】  以下、本発明の実施の形態について、実施例を挙げて図面を参照しながら詳細に説明する。但し、本発明は実施例に限定されるものではなく、種々の改変が可能である。
【００３４】  本発明のスライダーにおいて、同スライダーがエレメント列を噛合させるように摺動する向きを前方とし、エレメント列を分離させるように摺動する向きを後方とする。また、上下翼板に直交する方向を上下方向とし、上翼板側を上方向、下翼板側を下方向とする。また、上下翼板に平行で、スライダー摺動方向に直交する方向を左右方向として定義する。
【実施例】
【００３５】＜実施例１＞【００３６】  図１には本発明の実施例１に係るスライダー１００を備えたスライドファスナーの一例が示されている。スライドファスナーは一対の長尺テープ１０４、各テープの一側縁に沿って縫着されるファスナーの噛合部分である多数のエレメント１０１、及びエレメント１０１を噛合及び分離することによりファスナーの開閉を制御するスライダー１００の三つの部分から主に構成される。更に、スライダー１００の脱落防止のために、上止め１０３及び下止め１０２を設けることができる。下止め１０２に代えて、蝶棒と箱棒付きの箱体とで構成される開き具を設けることもできる。スライダー１００がファスナーエレメント１０１の列を内部に嵌挿しながら摺動することで、エレメント１０１の列を噛合又は分離することができる。【００３７】  図２は、本発明の実施例１に係るスライドファスナー用スライダーを構成する部品が分離した状態を示す斜視図であり（但し、引手は一部のみ示す。）、図２は、同スライダーが組み立てられた状態を示す斜視図である（但し、引手は図示せず）。図４の（ａ）は（ｂ）におけるＡ−Ａ’線部分断面図（スライダー胴体のみ断面図、下翼板は図示せず。）、（ｂ）は本発明の実施例１に係るスライダーの正面図、（ｃ）は（ａ）におけるＢ−Ｂ’線部分断面図（下翼板は図示せず。）をそれぞれ示す。図５は、図４（ａ）のＡ−Ａ’線部分断面図に対して、引手を持ち上げることにより停止爪が後退した状態を示す。【００３８】  実施例１に係るスライドファスナー用スライダーは、スライダー胴体１３０と、カバー１２０と、ばね部材１４０と、引手１１０とを備える。スライダー胴体１３０及び引手１１０は、銅合金、アルミニウム合金、亜鉛合金などの金属材料を使用してダイキャスト成形によって作製可能である。また、カバー１２０及びばね部材１４０は、ステンレスや銅合金等の金属材料を使用してプレス成形により作製可能である。【００３９】  スライダー胴体１３０は、前端側が連結柱１４４により連結された上翼板１３２及び下翼板１３４と、上翼板１３２及び下翼板１３４の間に配設されたＹ字状のエレメント案内路１３７とを有する。上翼板１３２の左右側部には、下翼板１３４に向けて上フランジ部１３２ａが形成され、下翼板１３４の左右側部には、上翼板１３２に向けて下フランジ部１３４ａが形成されている。【００４０】  また、スライダー胴体１３０は、スライダー胴体１３０の前端であって、連結柱１４４の左右両側に配された肩口１５６と、スライダー胴体１３０の後端に配された後口１５８とを有しており、上下翼板１３２と下翼板１３４の間には、左右の肩口１５６と後口１５８とを連結するＹ字形のエレメント案内路１３７が形成されている。【００４１】  上翼板１３２は、前方に立設された前方カバー取付柱１３６と、後方に立設された後方カバー取付柱１３８と、前方カバー取付柱１３６及び後方カバー取付柱１３８の間に穿設された爪孔１３５と、爪孔１３５及び前方カバー取付柱１３６の間に突設された規制部１３９とを有する。前方カバー取付柱１３６は、台状の支持部１３６ａと、支持部１３６ａに支持され左右方向に張り出した係合部１３６ｂとを有する。係合部１３６ｂの下面は後述するカバー１２０の軸支部１２４の上面と接触可能な程度前方カバー取付柱１３６から張り出している。後方カバー取付柱１３８は、柱状の支持部１３８ｂと、支持部１３８ｂに支持され左右に張り出した停止部１３８ａとを有する。停止部１３８ａの下面は後述するカバー１２０の上方向への移動を制限するべく、係合片１２１の上面の接触することができ、カバー１２０がスライダー胴体１３０から外れないように前方カバー取付柱１３６から張り出している。【００４２】  後方カバー取付柱１３８の前方には引手案内部１５３が形成されている。引手案内部１５３は、引手の回転軸１１２と接触可能な引手案内面を備えており、引手案内面は、前方に行くに従い下降する斜面であり、引手１１０の回転軸１１２の移動方向を案内する。これにより、引手１１０を後方側に操作したときに引手の回転軸１１２が引手案内面の傾斜面に沿って移動する。このとき、その移動にともない、引手１１０がカバー体１２０を押上げるのでカバー体１２０の停止爪１２８を爪孔１３５から引き上げることができるので簡単にロックを解除することが可能である。【００４３】  上翼板１３２は溝部１３１を有することができ、当該溝部１３１にばね部材１４０を敷設することが可能である。具体的に言えば、溝部１３１は、前方カバー取付柱１３８の根元の後方側及び左右側に亘って略コの字上に形成されている。これにより、ばね部材１４０を安定して上翼板１３２の上に固定することができるようになり、また、外部からばね部材１４０が目立たなくなる。また、外部から生地などの異物が挟まりにくくなる。また、溝部１３１のうち、前方カバー取付柱１３６の左右側面側の溝条の前端側は、上翼板１３２の前端側に開口しており、その溝条の底面はその前端に向かって下方に傾斜する斜面１４６を有するのが好ましい。溝部１３１にこのような傾斜を設けることにより、スライダーの組立時に、前方カバー取付柱１３６の係合部１３６ｂと溝部１３１の間の空間が広くなるので、後述するカバー１２０の軸支部１２４を両者の間に嵌入しやすくなり、スライダーの組立性が向上する。同様の理由により、各軸支部１２４の上面はその前端に向かって下方に傾斜する斜面１４８を有することが好ましい。【００４４】  カバー１２０は、上壁１２５と、上壁１２５の両側縁から延設した左右側壁１２２と、左右側壁１２２の少なくとも一方（実施例１では一方のみ）から下方に延設され爪孔１３５への挿抜が可能な停止爪１２８と、左右側壁１２２から前方に延設され前方カバー取付柱１３６に係合する一対の軸支部１２４と、左右側壁１２２から後方に延設され後方カバー取付柱１３８に遊嵌される一対の係合片１２１と、左右側壁１２２を貫通し引手１１０の回転軸１１２が挿通される開口部１２７と、規制部１３９の前方部分に当接可能な停止壁１２６を有する。開口部１２７の形状に特に制限はないが、引手１１０の円滑な操作を可能とするために、曲線で形成されていることが望ましく、開口部１２７の下部は開放されている。停止壁１２６を設置する箇所は、カバー１２０を後方に移動させたときに規制部１３９に当接できる限り特に制限はなく、開口部１２７とは独立して設けることもできるが、開口部１２７の周壁に設けるのが便宜である。例えば、図２〜４に示すように、下部が開放された開口部１２７の前端部分に壁を形成し、これを停止壁１２６として利用する方法がある。【００４５】  カバー１２０は前方カバー取付柱１３６の後方部分（実施例１においては、支持部１３６ａの後方部分）に当接可能な突起１２３を左右側壁１２２の少なくとも一方、安定性の観点から好ましくは両方の内側に有することができる。突起１２３の具体的形状の例は図４の（ｃ）から見ると理解しやすいが、左右側壁１２２の外側から内側に向けて円柱状のプレス金型で打ち出すことによって作製されている。これにより、カバー１２０の前方への移動は突起１２３が前方カバー取付柱１３６に当接することにより停止するため、カバー１２０の軸支部１２４が前方カバー取付柱１３６の係合部１３６ｂに過度に食い込むのが防止され、カバー１２０の円滑な回転動作が可能となる。【００４６】  ばね部材１４０は、一対の軸支部１２４の下面と上翼板１３２の間に配され、前方カバー取付柱１３６の後端と規制部１２８の間に設置されるベース部１４１と、ベース部１４１から前方カバー取付柱１３６の左右側壁に沿って延びた一対の弾性部１４３によって構成されており、弾性部１４３によって停止爪１２８が爪孔１３５に向かって付勢されるように敷設されている。実施例１においては、前方カバー取付柱１３６の根元の形状が矩形であるため、ばね部材１４０はコの字状の板ばねである。コの字の二箇所の角部からそれぞれ前方に延びる左右の板片、すなわち弾性部１４３は前方に行くに従い上昇する斜面を有している。【００４７】  また、ばね部材１４０はベース部１４１に挿入穴１４２を有することができ、前方カバー取付柱１３６の後方側の溝部１３１に立設された固定柱１３３を挿入穴１４２に挿入した後、固定柱１３３を打ち潰すことにより上翼板１３２に固定可能である。実施例１においては、ベース部の両端の角部に挿入穴１４２が左右対称に形成されており、左右均等なばね力を各軸支部１２４に伝達することができる。【００４８】  引手１１０は、カバー１２０の開口部１２７に引手１１０の回転軸１１２を挿通するよって、スライダー胴体１３０に一端が回動可能に保持される。【００４９】  図４を参照する。ここでは、ばね部材１４０は軸支部１２４の下面と弾接しており、ばね力によりカバー１２０が軸支部１２４の上面と係合部１３６ｂの下面との接触部分を軸として回転し、停止爪１２８が爪孔１３５に挿入されて上翼板１３２の下面から突出した状態を示している。突出した停止爪１２８がエレメント間に挿入されることで、スライダー１００のエレメント列に対する摺動は停止する。また、図５を参照すると、ばね部材１４０の作用に抗してユーザーが引手の回転軸１１２を持ち上げてカバー１２０を逆回転さることにより、停止爪１２８が上翼板１３２の下面よりも後退した状態を示している。この状態であれば、スライダーをエレメント列に沿って前方又は後方に摺動させることが可能である。【００５０】  実施例１に係るスライダーにおいては、カバー１２０を後方へ移動させたとき、後方カバー取付柱１３８や爪孔１３５との接触によってカバー１２０の後方移動が制限される前に、停止壁１２６が規制部１３９に当接する。換言すれば、停止壁１２６が規制部１３９に当接している時、後方カバー取付柱１３８とカバーの間、及び、停止爪１２８と爪孔１３５の間には後方にクリアランスが存在する。そのため、カバー１２０の後方への移動は、停止壁１２６が規制部１３９に当接することにより停止することになる。【００５１】  従って、停止爪１２８の爪孔１３５に対する挿抜を行う際、カバー１２０は軸支部１２４と係合部１３６ｂの接触部分を軸とする回転動作を行うところ、この際に停止壁１２６が規制部１３９に当接することに起因する摩擦力が生じたとしても、回転軸から規制部１３９までの距離が短いので、当該摩擦力は小さく抑えることが可能である。【００５２】  規制部１３９の位置は、爪孔１３５及び前方カバー取付柱１３６の間に突設されている限り特に制限はないが、停止壁１２６が規制部１３９の間の摩擦力を小さく抑えるという観点から、規制部１３９は回転軸から近い位置に設置するのが好ましい。実施例１においては、溝部１３１の後端壁を上方に延長することによって規制部１３９を上翼板の上に突設している。また、安定性の観点から、規制部１３９は左右の停止壁１２６に当接することができるように左右に形成されるのが好ましい。実施例１においては、規制部１３９は凸部が左右方向に連続することにより凸条を形成している。また、カバー１２０側の開口部１２７の規制部１３９と接触する壁面は安定して規制部１３９と接触できるように左右側壁１２２の下方端部から更に僅かに下方に突出した突出部１２９が形成されている。【００５３】  次に、実施例１に係るスライダーの組立操作について説明する。スライダー胴体１３０の上翼板１３２の溝部１３１にばね部材１４０を敷設する。この際、ばね部材１４０の挿入穴１４２に固定柱１３３を挿入する。固定柱１３３の挿入穴１４２から突出した部分を打ち潰すことにより、固定柱１３３は図４の（ａ）及び図５に示すように頭部が潰されて略Ｔ字状になるので、ばね部材１４０は上翼板１３２に固定される。次いで、開口部１２７に引手の回転軸１１２を挿通させた状態で、前方カバー取付柱１３６の係合部１３６ｂと溝部１３１の間の空間にカバー１２０の軸支部１２４を嵌入する。これとほぼ同時に、停止爪１２８は爪孔１３５に挿入される。カバー１２０の一対の係合片１２１の間の距離は、後方カバー取付柱１３８の停止部１３８ａの左右の幅よりも大きいので、係合片１２１が停止部１３８ａに干渉することなく、係合片１２１を上翼板１３２に載置することが可能である。その後、各係合片１２１間の距離が停止部１３８ａの左右の幅より短くなるように各係合片１２１を内側に屈曲させることで、各係合片１２１の上下方向の移動は上翼板１３２と停止部１３８ａの間に制限される。これに伴い、停止爪１２８の上下方向の移動距離も定まる。上翼板１３２と停止部１３８ａの間の距離は停止爪１２８の上下動によってスライダーの摺動及び停止を制御するのに十分な距離とすべきである。なお、各係合片１２１を内側に屈曲させ過ぎると各係合片１２１が支持部１３８ｂに接触し、カバー１２０の回転運動の妨げになる摩擦力を発生させるため、各係合片１２１は支持部１３８ｂに接触しない程度か接触するにしても最小限に留まるように屈曲させるのが好ましい。【００５４】＜実施例２＞  図６は、本発明の実施例２に係るスライドファスナー用スライダーを構成する部品が分離した状態を示す斜視図である。実施例２に係るスライダーは、図７に記載された特開２００７−０７５１９６号公報（特許文献１）に係るスライダーに類似の形態を有しているが、当該公報に記載されたスライダーには規制部１３９が存在しない一方で、実施例２には規制部１３９が存在する点で大きく異なる。【００５５】  実施例２に係るスライドファスナー用スライダーは、実施例１と同様に、スライダー胴体１３０と、カバー１２０と、ばね部材１４０と、引手１１０とを備える。実施例１と実施例２では共通点も多いため、以下では実施例１との相違点に焦点を当てて説明する。【００５６】  第一に、カバー１２０の形状が異なる。実施例２においては、ばね部材１４０がカバー１２０の前方に延設されることによりカバー１２０と連続している。具体的には、ばね部材１４０はカバー１２０の上壁１２５の前端部を基点として前方に延びる長板形状を有しており、一定距離前進した後、下方に屈曲して更に一定距離垂下する。ばね部材１４０の先端部は後述するばね部材案内部１５４に弾接する。すると、ばね力によりカバー１２０には軸支部１２４と係合部１３６ｂの接触部分を軸とする回転力が生まれ、停止爪１２８が爪孔１３５に向かって付勢される。【００５７】  更に、実施例２においては停止爪１２８が前方に屈曲する箇所を有しており、停止爪１２８の先端がスライダーの前方に寄っている。これにより、停止爪１２８は左右のエレメント同士が噛合する直前の比較的間隙の大きな箇所に挿入可能となるので、ファスナーストリンガーの縫糸などを傷付けるのを防止可能である。これに伴って、爪孔１３５が実施例１よりも前方に長く形成されている。【００５８】  また、実施例２においては一対の係合片１２１が直線状に後方に延びており、内側に屈曲していない。【００５９】  第二に、上翼板１３２に立設される前方カバー取付柱１３６の形状が異なる。実施例２においては、下方に傾斜する斜面を有するばね部材案内部１５４が支持部１３６ａの前部に形成されている。また、左右の係合部１３６ｂは、支持部１３６ａに内側部が支持されながらも、下部が上翼板１３２に連結されている。【００６０】  第三に、上翼板１３２に立設される後方カバー取付柱１３８の形状が異なる。実施例２においては、支持部１３８ｂの左右側面に凸条形状のガイド部１５２が上下方向に延設されている。これにより、カバー１２０の左右方向へ揺動するのを抑制できる。但し、ガイド部１５２の左右方向の幅は、摩擦力に起因してカバー１２０が回転し難くなるのを抑制し、自動停止機能が円滑に発揮されるために、ガイド部１５２に係合片１２１が接触しない程度か接触するにしても最小限となるような幅にすることが望ましい。【００６１】  第四に、上翼板１３２に溝部１３１がないため、規制部１３９が独立して形成されている点が異なる。しかしながら、実施例２においても、カバー１２０の後方への移動は規制部１３９によって制限されるため、停止爪１２８の爪孔１３５に対する挿抜を行う際、カバー��２０は軸支部１２４と係合部１３６ｂの接触部分を軸とする回転動作を行うところ、この際に停止壁１２６が規制部１３９に当接することに起因する摩擦力が生じたとしても、回転軸から規制部１３９までの距離が短いので、当該摩擦力は小さく抑えることが可能である。【００６２】以上、本発明の実施の形態について、実施例を挙げて図面を参照しながら説明してきたが、本発明にはその他の変形例が多数存在する。例えば、ばね部材１４０としてコイルばねを使用することもできる。具体的には、ばね部材１４０は、前方カバー取付柱１３６の上壁に鉛直方向に設けた収容穴に収容することができる。そして、ばね部材１４０の上端をカバー１２０の上壁１２５の前端部の内側と弾接させ、ばね力によってカバー１２０の上壁１２５の前端部は内側から押し上げられる。これにより、ユーザーがこれに抗する力を付与しない限り、カバー１２０が軸支部１２４と係合部１３６ｂの接触部分を軸として回転する力が働き、停止爪１２８が爪孔１３５に自動的に挿入されて上翼板１３２の下面から突出することになる。
【符号の説明】
【００６３】１００    スライダー１０１    エレメント１０２    下止１０３    上止１０４    テープ１１０    引手１１２    回転軸１２０    カバー１２１    係合片１２２    側壁１２３    突起１２４    軸支部１２５    上壁１２６    停止壁１２７    開口部１２８    停止爪１２９    突出部１３０    スライダー胴体１３１    溝部１３２    上翼板１３３    固定柱１３４    下翼板１３５    爪孔１３６    前方カバー取付柱１３６ａ  支持部１３６ｂ  係合部１３７    エレメント案内路１３８    後方カバー取付柱１３８ａ  停止部１３８ｂ  支持部１３９    規制部１４０    ばね部材１４１    ベース部１４２    挿入穴１４３    弾性部１４４    連結柱１４６    斜面１４８    斜面１５２    ガイド部１５３    引手案内部１５４    ばね部材案内部１５６    肩口１５８    後口
【図１】
2014073099.tif 000003
【図２】
2014073099.tif 000004
【図３】
2014073099.tif 000005
【図４】
2014073099.tif 000006
【図５】
2014073099.tif 000007
【図６】
2014073099.tif 000008
【図７】
2014073099.tif 000009
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
スライダー胴体１３０と、カバー１２０と、ばね部材１４０と、引手１１０とを備えたスライドファスナー用スライダー１００であって、
スライダー胴体１３０は、連結柱１４４により連結された上翼板１３２及び下翼板１３４と、上翼板１３２及び下翼板１３４の間に配設されたＹ字状のエレメント案内路１３７とを有し、
上翼板１３２は、前方に立設された前方カバー取付柱１３６と、後方に立設された後方カバー取付柱１３８と、前方カバー取付柱１３６及び後方カバー取付柱１３８の間に穿設された爪孔１３５と、爪孔１３５及び前方カバー取付柱１３６の間に突設された規制部１３９とを有し、
カバー１２０は、上壁１２５と、上壁１２５の側縁から延設された左右側壁１２２と、左右側壁１２２の少なくとも一方から下方に延設され爪孔１３５への挿抜が可能な停止爪１２８と、左右側壁１２２から前方に延設され前方カバー取付柱１３６に係合する一対の軸支部１２４と、左右側壁１２２から後方に延設され後方カバー取付柱１３８に遊嵌される一対の係合片１２１と、左右側壁１２２を貫通し引手１１０の回転軸１１２が挿通される開口部１２７と、規制部１３９の前方部分に当接可能な停止壁１２６を有し、
ばね部材１４０は停止爪１２８が爪孔１３５に向かって付勢されるように配設され、
カバー１２０の後方への移動は、停止壁１２６が規制部１３９に当接することにより停止する、
スライドファスナー用スライダー。
【請求項２】
ばね部材１４０は、軸支部１２４の下面と上翼板１３２の間に配され、前方カバー取付柱１３６の後方と規制部１３９の間に設置されるベース部１４１と、前記ベース部１４１から前方カバー取付柱１３６の左右側壁に沿って延びた一対の弾性部１４３を有し、停止爪１２８が爪孔１３５に向かって付勢されるように敷設された板ばねである請求項１に記載のスライドファスナー用スライダー。
【請求項３】
カバー１２０は前方カバー取付柱１３６の後方部分に当接可能な突起１２３を左右側壁１２２の少なくとも一方の内側に有し、カバー１２０の前方への移動は突起１２３が前方カバー取付柱１３６に当接することにより停止する請求項１又は２に記載のスライドファスナー用スライダー。
【請求項４】
停止壁１２６が開口部１２７に設けられる請求項１〜３の何れか一項に記載のスライドファスナー用スライダー。
【請求項５】
各軸支部１２４の上面はその前端に向かって下方に傾斜する斜面１４８を有する請求項１〜４の何れか一項に記載のスライドファスナー用スライダー。
【請求項６】
上翼板１３２は溝部１３１を有し、当該溝部１３１にばね部材１４０が敷設される請求項１〜５の何れか一項に記載のスライドファスナー用スライダー。
【請求項７】
規制部１３９は、溝部１３１の後端壁を上方に延長することによって形成される請求項６に記載のスライドファスナー用スライダー。
【請求項８】
ばね部材１４０はベース部１４１に挿入穴１４２を有しており、溝部１３１に立設された固定柱１３３が挿入穴１４２に挿入された状態で、固定柱１３３の頭部が潰されていることにより上翼板１３２に固定されている請求項６又は７に記載のスライドファスナー用スライダー。
【請求項９】
溝部１３１は、その前端に向かって下方に傾斜する斜面１４６を有する請求項６〜８の何れか一項に記載のスライドファスナー用スライダー。
【請求項１０】
ばね部材１４０がコの字状の板ばねである請求項２〜９の何れか一項に記載のスライドファスナー用スライダー。
【請求項１１】
スライダー胴体１３０と、カバー１２０と、ばね部材１４０と、引手１１０とを備えたスライドファスナー用スライダー１００であって、
スライダー胴体１３０は、連結柱１４４により連結された上翼板１３２及び下翼板１３４と、上翼板１３２及び下翼板１３４の間に配設されたＹ字状のエレメント案内路１３７とを有し、
上翼板１３２は、前方に立設された前方カバー取付柱１３６と、後方に立設された後方カバー取付柱１３８と、前方カバー取付柱１３６及び後方カバー取付柱１３８の間に穿設された爪孔１３５と、爪孔１３５及び前方カバー取付柱１３６の間に突設された規制部１３９とを有し、
カバー１２０は、上壁１２５と上壁１２５の側縁から延設された左右側壁１２２と、左右側壁１２２の少なくとも一方から下方に延設され爪孔１３５への挿抜が可能な停止爪１２８と、左右側壁１２２から前方に延設され前方カバー取付柱１３６に係合する一対の軸支部１２４と、左右側壁１２２から後方に延設され後方カバー取付柱１３８に遊嵌される一対の係合片１２１と、左右側壁１２２を貫通し引手１１０の回転軸１１２が挿通される開口部１２７とを有し、
ばね部材１４０は、軸支部１２４の下面と上翼板１３２の間に配され、前方カバー取付柱１３６の後方と規制部１３９の間に設置されるベース部１４１と、前記ベース部１４１から前方カバー取付柱１３６の左右側壁に沿って延びた一対の弾性部１４３を有し、停止爪１２８が爪孔１３５に向かって付勢されるように敷設された板ばねであるスライドファスナー用スライダー。
【請求項１２】
カバー１２０は、規制部１３９の前方部分に当接可能な停止壁１２６を更に有し、
カバー１２０の後方への移動は、停止壁１２６が規制部１３９に当接することにより停止する、
請求項１１に記載のスライドファスナー用スライダー。
【請求項１３】
停止壁１２６が開口部１２７に設けられる請求項１２に記載のスライドファスナー用スライダー。
【請求項１４】
上翼板１３２は溝部１３１を有し、当該溝部１３１にばね部材１４０が敷設される請求項１１〜１３の何れか一項に記載のスライドファスナー用スライダー。
【請求項１５】
規制部１３９は、溝部１３１の後端壁を上方に延長することによって形成される請求項１４に記載のスライドファスナー用スライダー。
【請求項１６】
ばね部材１４０はベース部１４１に挿入穴１４２を有しており、溝部１３１に立設された固定柱１３３が挿入穴１４２に挿入された状態で、固定柱１３３の頭部が潰されていることにより上翼板１３２に固定されている請求項１４又は１５に記載のスライドファスナー用スライダー。
【請求項１７】
溝部１３１は、その前端に向かって下方に傾斜する斜面を有する請求項１４〜１６の何れか一項に記載のスライドファスナー用スライダー。
【請求項１８】
各軸支部１２４の上面はその前端に向かって下方に傾斜する斜面を有する請求項１１〜１７の何れか一項に記載のスライドファスナー用スライダー。
【請求項１９】
ばね部材１４０がコの字状の板ばねである請求項１１〜１８の何れか一項に記載のスライドファスナー用スライダー。
【請求項２０】
カバー１２０は前方カバー取付柱１３６の後方部分に当接可能な突起１２３を左右側壁１２２の少なくとも一方の内側に有し、カバー１２０の前方への移動は突起１２３が前方カバー取付柱１３６に当接することにより停止する請求項１１〜１９の何れか一項に記載のスライドファスナー用スライダー。
【請求項２１】
請求項１〜２０の何れか一項に記載のスライドファスナー用スライダーを備えたスライドファスナー。
【国際調査報告】
2014073099.tif 000010
2014073099.tif 000011
2014073099.tif 000012
2014073099.tif 000013